【手続補正書】
【提出日】平成15年10月21日(2003.10.21)
【手続補正１】
【補正対象書類名】明細書
【補正対象項目名】特許請求の範囲
【補正方法】変更
【補正の内容】
【特許請求の範囲】
【請求項１】
複数の色光を画像情報に応じて変調する複数の光変調装置と、各光変調装置で変調された色光を合成するプリズムと、このプリズムから射出された光束を拡大投写する投写光学系とを備えたプロジェクタであって、
前記光変調装置は、電気光学物質と、この電気光学物質を狭持する一対の基板とを備え、
前記光変調装置を前記プリズムの光入射端面に取り付けるための保持部材は、前記一対の基板のうち、いずれか一方の基板面に沿って延びる板状部材から構成されていることを特徴とするプロジェクタ。
【請求項２】
請求項１に記載のプロジェクタにおいて、
前記保持部材は、金属製であり、その表面に金属部材が設けられていることを特徴とするプロジェクタ。
【請求項３】
請求項１に記載のプロジェクタにおいて、
前記保持部材は、前記光変調装置の画像形成領域に対応した開口部を有する枠形状であることを特徴とするプロジェクタ。
【請求項４】
請求項１〜請求項３のいずれかに記載のプロジェクタにおいて、
前記プリズムの光入射端面には、互いに対向する端縁にくさび状のスペーサが設けられ、前記光変調装置は、このスペーサを介して前記プリズムの光入射端面に取り付けられ、
前記保持部材は、前記いずれか一方の基板のうち、光射出側の基板に取り付けられ、前記スペーサを案内する傾斜面とを備えていることを特徴とするプロジェクタ。
【請求項５】
請求項１〜請求項３のいずれかに記載のプロジェクタにおいて、
前記プリズムの光入射端面には、面外方向に突出する複数の棒状のスペーサが設けられ、前記光変調装置は、この複数のスペーサを介して前記プリズムの光入射端面に取り付けられ、
前記保持部材は、前記いずれか一方の基板のうち、光射出側の基板に取り付けられ、前記スペーサが挿入される複数の挿入孔とを備えていることを特徴とするプロジェクタ。
【請求項６】
請求項１又は請求項２に記載のプロジェクタにおいて、
前記プリズムの光入射端面には、面外方向に突出する複数の棒状のスペーサが設けられ、前記光変調装置は、この複数のスペーサを介して前記プリズムの光入射端面に取り付けられ、
前記保持部材は、前記いずれか一方の基板のうち、光入射側の基板に取り付けられ、前記光入射側の基板に対応した開口部と、前記スペーサが挿入される複数の挿入孔とを備えていることを特徴とするプロジェクタ。
【請求項７】
請求項４に記載のプロジェクタにおいて、
前記開口部は、前記光変調装置の入射側基板と略同一の大きさに形成され、
前記光変調装置に前記保持部材を装着すると、前記保持部材の表面と、前記入射側基板の基板面とが略面一となることを特徴とするプロジェクタ。
【請求項８】
請求項１〜請求項３のいずれかに記載のプロジェクタにおいて、
前記保持部材は、前記プリズムの光入射端面に取り付けられるとともに、該光入射端面よりも大きな板状部材から構成され、前記光入射端面の外側部分に形成される複数の挿入孔とを備え、
前記光変調装置は、この複数の挿入孔に挿入される棒状のスペーサと接合固定されることを特徴とするプロジェクタ。
【請求項９】
請求項１〜請求項８のいずれかに記載のプロジェクタにおいて、
前記保持部材には、前記一対の基板の端部を覆う被覆部が板状部材の端縁に沿って形成されていることを特徴とするプロジェクタ。
【請求項１０】
請求項１〜請求項９のいずれかに記載のプロジェクタにおいて、
前記一対の基板の少なくとも一方には、光変調により画像を形成する画像形成領域を囲むように、遮光領域が形成されていることを特徴とするプロジェクタ。
【請求項１１】
複数の色光を画像情報に応じて変調する複数の光変調装置と、各光変調装置で変調された色光を合成するプリズムと、このプリズムから射出された光束を拡大投写する投写光学系とを備えたプロジェクタであって、
前記光変調装置は、電気光学物質と、この電気光学物質を狭持する一対の基板とを備え、
前記プリズムは、直方体上面の隣接する３辺を含む３つの側面が光入射端面とされた略直方体状に構成され、
このプリズムの各入射端面には、互いに対向する端縁にくさび状のスペーサが設けられ、前記光変調装置は、このスペーサを介して前記プリズムの光入射端面に取り付けられ、
前記光変調装置を前記プリズムの光入射端面に取付るための保持部材は、前記プリズムの各光入射端面の端部稜線に沿って延びるレール状部材から構成され、
このレール状部材には、前記スペーサを案内する傾斜面が形成されていることを特徴とするプロジェクタ。
【請求項１２】
請求項１〜請求項１１のいずれかに記載のプロジェクタにおいて、
前記一対の基板の少なくともいずれか一方の基板の外側表面には、帯電防止層が形成されていることを特徴とするプロジェクタ。
【手続補正２】
【補正対象書類名】明細書
【補正対象項目名】０００８
【補正方法】変更
【補正の内容】
【０００８】
【課題を解決するための手段】
前記目的を達成するために、本発明のプロジェクタは、複数の色光を画像情報に応じて変調する複数の光変調装置と、各光変調装置で変調された色光を合成するプリズムと、このプリズムから射出された光束を拡大投写する投写光学系とを備えたプロジェクタであって、前記光変調装置は、電気光学物質と、この電気光学物質を狭持する一対の基板とを備え、前記光変調装置を前記プリズムの光入射端面に取り付けるための保持部材は、前記一対の基板のうち、いずれか一方の基板面に沿って延びる板状部材から構成されていることを特徴とする。また、前記保持部材は、前記光変調装置の画像形成領域に対応した開口部を有する枠形状であることを特徴とする。また、前記保持部材は、金属製であり、その表面に金属部材が設けられていることを特徴とする。
このような本発明によれば、光変調装置を保持する保持部材が光変調装置の基板面に沿って延びる板状部材から構成されているため、プリズムに対する光変調装置の取付構造の厚さ寸法を小さくすることができ、光変調装置およびプリズムを含む光学系の小型化を図り、プロジェクタの小型化を促進することができる。


【手続補正３】
【補正対象書類名】明細書
【補正対象項目名】００１２
【補正方法】変更
【補正の内容】
【００１２】
また、本発明のプロジェクタは、複数の色光を画像情報に応じて変調する複数の光変調装置と、各光変調装置で変調された色光を合成するプリズムと、このプリズムから射出された光束を拡大投写する投写光学系とを備えたプロジェクタであって、前記光変調装置は、電気光学物質と、この電気光学物質を狭持する一対の基板とを備え、前記プリズムは、直方体上面の隣接する３辺を含む３つの側面が光入射端面とされた略直方体状に構成され、このプリズムの各入射端面には、互いに対向する端縁にくさび状のスペーサが設けられ、前記光変調装置は、このスペーサを介して前記プリズムの光入射端面に取り付けられ、前記光変調装置を前記プリズムの光入射端面に取り付けるための保持部材は、前記プリズムの各光入射端面の端部稜線に沿って延びるレール状部材から構成され、このレール状部材には、前記スペーサを案内する傾斜面が形成されていることを特徴とする。
すなわち、保持部材を板状部材以外のレール状部材から構成しても、前記と同様の作用および効果を享受することができ、プロジェクタの小型化を促進することができる。